(57)【要約】【課題】穿刺針の保持を確実にするとともに、穿刺アダプタから穿刺針を解放する操作を容易に行うことを可能とする技術を提供する。【解決手段】穿刺アダプタの切替機構のロック手段は、固定接続アームから突出する円筒体、シャフトを有しており、シャフトの先端部が切替機構の回転軸の保持部の先端収容部方向へ付勢されており、かつ先端部が先端収容部に収容されると保持状態からリリース状態へ移行する切替機構の動作を抑止するロック状態となり、シャフトを付勢力に抗して引き抜くと解除状態となり、さらに解除状態のときにおいて、シャフトを回転されると、係止ピンと半球体と円筒体の端面とによって、先端部が先端収容部に戻ろうとするのを抑止しする保持機構を有する。【選択図】図３
2010172565.tif 000002
【特許請求の範囲】
【請求項１】
超音波プローブに対し固定される装着手段と、
前記装着手段に対し間接または直接に接続されるとともに被検体内に刺入される穿刺針を保持し、かつ該穿刺針を保持する保持状態と、該穿刺針が解放されたリリース状態と、を切替可能とする切替機構を有する穿刺針保持手段と、
少なくとも一端が前記穿刺針保持手段の前記切替機構の方向へ付勢されており、かつ該一端が該切替機構に少なくとも接触されたときには、前記保持状態から前記リリース状態へ移行する該切替機構の動作を抑止するロック状態となり、かつ該一端が該切替機構から離隔したときには、該切替機構の動作が可能となる解除状態となり、さらに該解除状態のときにおいて、該ロック状態から該解除状態へ移動する方向を軸として回転されることにより、該一端の該切替機構の方向への移動を抑止して該解除状態を保持する解除状態保持機構を有するロック手段と、を備えたこと、
を特徴とする穿刺アダプタ。
【請求項２】
前記ロック手段は、前記一端が付勢される力に抗して前記切替機構から離隔する方向へ移動されたときに、該切替機構と該一端の接触が解除されて前記解除状態となること、
を特徴とする請求項１に記載の穿刺アダプタ。
【請求項３】
前記穿刺針保持手段は、第１の保持板と、該第１の保持板と略対向して配置される第２の保持板とを備え、
前記保持状態においては、前記穿刺針の穿刺方向への移動を可能にしつつ、前記第１の保持板と前記第２の保持板とによって該穿刺針を挟んで支持し、
前記切替機構が操作されることにより、前記第１の保持板および前記第２の保持板の少なくともいずれか一方が、他方に対して離隔する方向に移動し、前記リリース状態となること、
を特徴とする請求項１または２に記載の穿刺アダプタ。
【請求項４】
前記ロック手段は、前記一端を有する軸部と、該軸部の軸周りを囲うように配置される外囲体と、該軸部と該外囲体との間隙に配置され、該軸部を前記切替機構の方向へ付勢する付勢手段と、を有し、かつ前記解除状態保持機構として、該軸部における該付勢方向と反対側の外周面に第１突部が設けられるとともに、該外囲体における該付勢方向と反対側の端面の一部分に第２突部が設けられており、
前記ロック手段における前記軸部が、前記解除状態において回転されると、前記第２突部および前記外囲体の前記端面と、該軸部における前記第１突部とが接触して該第１突部が拘束されることにより、前記付勢手段による前記切替機構側への前記軸部の移動が抑止され該解除状態が保持されること、
を特徴とする請求項１〜３のいずれか１項に記載の穿刺アダプタ。
【請求項５】
前記切替機構には、前記穿刺針保持手段における前記第１の保持板または第２の保持板のいずれか一方を枢支するための回転軸と、前記穿刺針保持手段が前記保持状態になるような方向に該回転軸を付勢する付勢部材と、前記ロック手段の前記軸部における前記一端を収容可能な収容部とが設けられており、
前記切替機構は、前記回転軸を中心に回動可能であるとともに、前記付勢部材の付勢力に抗して回動されることにより、前記穿刺針保持手段を前記リリース状態とし、
前記軸部の前記一端が前記切替機構の前記収容部に収容されることにより、該収容部とが一端が係合して、前記ロック手段が前記ロック状態となること、
を特徴とする請求項４に記載の穿刺アダプタ。
【請求項６】
前記ロック手段における前記外囲体の前記第１突部は、突出方向に向かって漸次、中心から周囲までの距離が短くなっていく形状であること、
を特徴とする請求項４に記載の穿刺アダプタ。
【請求項７】
穿刺用アダプタが着脱自在に装着される超音波プローブであって、
前記超音波プローブに対し固定される装着手段と、
前記装着手段に対し間接または直接に接続されるとともに被検体内に刺入される穿刺針を保持し、かつ該穿刺針を保持する保持状態と、該穿刺針が解放されたリリース状態と、を切替可能とする切替機構を有する穿刺針保持手段と、
少なくとも一端が前記穿刺針保持手段の前記切替機構の方向へ付勢されており、かつ該一端が該切替機構に少なくとも接触されたときには、前記保持状態から前記リリース状態へ移行する該切替機構の動作を抑止するロック状態となり、かつ該一端が付勢される力に抗して該切替機構から離隔する方向へ移動されたときには、該切替機構の動作が可能となる解除状態となり、さらに該解除状態のときにおいて、該ロック状態から該解除状態へ移動する方向を軸として回転されることにより、該一端の該切替機構の方向への移動を抑止して該解除状態を保持する解除状態保持機構を有するロック手段と、を有する穿刺アダプタを備えたこと、
を特徴とする超音波プローブ。
【発明の詳細な説明】
【技術分野】
【０００１】
本発明は、超音波画像の観察下で行う穿刺術に用いる超音波プローブの技術に関し、特に、超音波プローブに取付ける穿刺アダプタの技術に関する。
【背景技術】
【０００２】
従来から、注射針等の穿刺針を生体内に刺入して行う穿刺術が行われている。すなわち細胞などの組織の採取等を行うことによる腫瘍の検査、薬剤の局所投与や、あるいは穿刺針からのマイクロ波やラジオ波の照射等の温熱治療・焼灼治療などを行う穿刺術が行われている。この穿刺術によって従来は手術を行わなければならなかった症例に対し、例えば穿刺による薬剤の投入により、手術を行うことなく治療を行うことが可能になった。これにより、従来外科的手術によって大幅な組織の切除を伴うことによる、当該組織の機能の損失や外形上の形態の変化といったような患者に対する過大な負担を軽減することが可能となる。
【０００３】
このような穿刺術は、穿刺針を被検体内の特定部位に対して穿刺することにより行われる。穿刺術においては誤って当該特定部位と関わりのない血管などを損傷してしまうことにより大出血を起こしてしまうおそれがあり、このような危険性を回避しなければならない。また、対象となる腫瘍などの組織に対して確実に穿刺し、被検体に対する侵襲・負担を軽減する必要がある。一般的には、超音波診断装置によって生成される断層画像を参照し、穿刺を行う部位を確認しながら穿刺術が行われる。
【０００４】
このように超音波診断装置による超音波画像を参照して穿刺術を施す場合に、診断用の超音波プローブに穿刺アダプタを取り付けて、この穿刺アダプタに支持される穿刺針を、被検体の生体接触面であるプローブ面（以下、「接触面」という）の端部近傍から生体内に刺入する方法がある（例えば、図１３）。
【０００５】
図１３は、穿刺術に用いられる超音波診断装置、超音波プローブ本体および従来の穿刺アダプタを示す概略図である。図１３に示すように、超音波診断装置Ｕに接続された超音波プローブＰにより、超音波ビームＷを走査して被検体内の情報を取得する。さらに当該情報に基づき超音波診断装置Ｕにより、被検体内の断層画像を生成し表示する。このように断層画像を表示することにより、術者は断層画像を参照しつつ、穿刺を行う。このとき超音波プローブＰに固定された穿刺アダプタＲによって穿刺針Ｎが支持されており、穿刺針Ｎの刺入方向を案内している。
【０００６】
このように穿刺アダプタＲによって保持された穿刺針Ｎを用いて被検体に穿刺治療等を行っている間、穿刺針Ｎが穿刺アダプタＲに保持されたままとなっていると、超音波プローブＰ、穿刺アダプタＲが穿刺治療等の妨げとなる場合がある。このような場合に、穿刺針Ｎのみを刺入したまま、穿刺アダプタＲを除去し、穿刺治療を妨げないようにすることが必要である。なおかつこの穿刺アダプタの除去作業は安全に行われる必要があり、かつ簡便に行いうることが望まれる。
【０００７】
一般に穿刺アダプタの除去をするためには、まず穿刺アダプタによる穿刺針の保持状態を解除（以下、「リリース状態」という）し穿刺アダプタから穿刺針を開放することが必要になる。例えば従来、特許文献１に記載されているような構成の穿刺アダプタにおいては、以下のような手順で穿刺針をリリース状態とし、穿刺アダプタを除去していた。この手順について図１４および１５を参照しながら説明する。図１４および図１５は、従来の穿刺アダプタ１を示す概略図である。
【０００８】
図１４に示すように、従来の穿刺アダプタ１は、穿刺針固定金具２と、穿刺針３を保持するクリップ蓋４と、装着部５とで構成されている。また、穿刺針固定金具２には、穿刺針３が係合しやすいようＶ字溝を設けてある。この穿刺アダプタ１は装着部５の枠内に超音波プローブ（不図示）を入れ、固定して使用される。また図１５に示すように、クリップ蓋４にはクリップ蓋４と一連になるように形成されたレバー６を有している。このクリップ蓋４およびレバー６はクリップ８に設けられた回動軸７に枢支され、回動可能（図１５におけるＲＣ方向）に構成されている。このような構成において術者は、レバー６を装着部５の方向へ押下して、クリップ蓋４を開放する。このように穿刺針固定金具２をリリース状態とすることにより、術者は穿刺針３を除去することができる。
【０００９】
しかしながら上記従来の構成では、術者が意図せずにはレバー６が押下されてしまうおそれがあり、危険性を伴うものであった。そこで穿刺アダプタには従来、穿刺針の保持状態を確実にするため、当該穿刺アダプタによる保持状態をロックするためにロック機構が設けられている。このロック機構は、穿刺針の保持状態を解除する機構を固定して拘束することにより、意図せずに穿刺針の保持解除の動作がなされる事態を防止するものである。例えば図１４および図１５の穿刺アダプタ１であれば、レバー６を固定し、押下操作をさせないようにする手段である。
【００１０】
従来このロック機構の構成は、ネジによって、穿刺針の保持状態の解除機構に螺着して当該解除機構を固定するか、または当該解除機構の動作を抑止もしくは抑制するものであった。術者はこのロック機構を解除して、穿刺針をリリース状態にするために、ロック機構の解除操作を行う。すなわち術者は、穿刺針が穿刺アダプタに保持された状態で、超音波プローブを片手で把持しつつ、他方の手でネジを回転させ、ロック機構を解除する。さらに術者はロック機構の解除を実行した後に一方の手で穿刺針を保持し、他方の手で超音波プローブを保持するとともに針のリリース操作（例えばレバー６の押下操作）を行って穿刺針を穿刺アダプタから解放する。
【先行技術文献】
【特許文献】
【００１１】
【特許文献１】実開平３−６４６０８号公報
【発明の概要】
【発明が解決しようとする課題】
【００１２】
上記説明した従来のロック機構は、ネジによって、穿刺針の保持状態の解除機構に螺着し、当該解除機構の動作を抑止または抑制するものであった。このようなロック機構の場合、ロック機構のロック・ロック解除を行うためには、ネジ締め、ネジ緩め作業の２度の作業が必要であり煩雑である。また超音波プローブに用いるゼリーや血液等がロック機構に付着している場合や、術者が手袋を装着した状態でロック機構のネジ操作を行うこと場合が考えられるが、これらの場合、ロック・ロック解除の操作が困難であり、かつロック状態およびロックの解除状態が術者に認識しづらい。
【００１３】
そこで、ロック機構のロックの解除操作を容易にするロック機構が必要となる。ただし操作が容易なロック機構においても、安全性を確保するために穿刺針が確実に保持されていなければならない。つまり上記説明したネジ構造のロック機構のように、ロックの解除操作から穿刺針が穿刺アダプタからリリースされるまでの間、穿刺針が常に保持されている必要がある。
【００１４】
本発明は、以上の問題点に鑑みてなされたものであって、その目的は、穿刺針の保持を確実にするとともに、穿刺アダプタから穿刺針を解放する操作を容易に行うことを可能とする技術の提供をすることにある。
【課題を解決するための手段】
【００１５】
上記の課題を解決するために、請求項１に記載の発明は、超音波プローブに対し固定される装着手段と、前記装着手段に対し間接または直接に接続されるとともに被検体内に刺入される穿刺針を保持し、かつ該穿刺針を保持する保持状態と、該穿刺針が解放されたリリース状態と、を切替可能とする切替機構を有する穿刺針保持手段と、少なくとも一端が前記穿刺針保持手段の前記切替機構の方向へ付勢されており、かつ該一端が該切替機構に少なくとも接触されたときには、前記保持状態から前記リリース状態へ移行する該切替機構の動作を抑止するロック状態となり、かつ該一端が該切替機構から離隔したときには、該切替機構の動作が可能となる解除状態となり、さらに該解除状態のときにおいて、該ロック状態から該解除状態へ移動する方向を軸として回転されることにより、該一端の該切替機構の方向への移動を抑止して該解除状態を保持する解除状態保持機構を有するロック手段と、を備えたこと、を特徴とする穿刺アダプタである。
また、請求項７に記載の発明は、穿刺アダプタが着脱自在に装着される超音波プローブであって、前記超音波プローブに対し固定される装着手段と、前記装着手段に対し間接または直接に接続されるとともに被検体内に刺入される穿刺針を保持し、かつ該穿刺針を保持する保持状態と、該穿刺針が解放されたリリース状態と、を切替可能とする切替機構を有する穿刺針保持手段と、少なくとも一端が前記穿刺針保持手段の前記切替機構の方向へ付勢されており、かつ該一端が該切替機構に少なくとも接触されたときには、前記保持状態から前記リリース状態へ移行する該切替機構の動作を抑止するロック状態となり、かつ該一端が付勢される力に抗して該切替機構から離隔する方向へ移動されたときには、該切替機構の動作が可能となる解除状態となり、さらに該解除状態のときにおいて、該ロック状態から該解除状態へ移動する方向を軸として回転されることにより、該一端の該切替機構の方向への移動を抑止して該解除状態を保持する解除状態保持機構を有するロック手段と、を有する穿刺アダプタを備えたこと、を特徴とする超音波プローブである。
【発明の効果】
【００１６】
請求項１または請求項７にかかる本発明では、切替機構に向かって付勢されたロック手段の一端が、当該切替機構に少なくとも接触することによって、穿刺針の保持状態のまま当該切替機構の動作が抑止されるロック状態となる。また、当該一端を離隔させると、ロック手段が解除状態となる。したがって、術者が意図せずにリリース状態となるおそれを回避することができるとともに、術者はロック手段から手を離す操作、ロック手段の一端を離隔させる操作の２つの操作のみで、ロック手段をロック状態、解除状態とすることができるので、穿刺針を解放する操作が煩雑となる事態が解消される。これに加え本発明では、解除状態保持機構により、術者が解除状態においてロック手段を回転させるのみで当該ロック手段の解除状態を保持することができる。したがって、片手でプローブの保持および切替機構の操作を可能にしつつ、他方の手でロック手段の操作または穿刺針の保持のいずれかを行うことができる。すなわち、術者がロック手段を操作するときは、穿刺針保持手段によって穿刺針が保持され、なおかつ術者が穿刺針を解放するときは、ロック手段の解除状態が保持されているので、術者が穿刺針を保持しつつ、他方の手で切替機構の操作とプローブの双方を行うことができる。結果として、常にプローブおよび穿刺針の双方が保持されている状態とすることができるので、穿刺針の保持および穿刺アダプタの除去を簡便かつ確実に行うことが可能となる。
【図面の簡単な説明】
【００１７】
【図１】（Ａ）はこの発明の実施形態にかかるロック手段がロック状態であるときの穿刺アダプタおよび超音波プローブの概略構成を示す概略斜視図である。（Ｂ）はこの発明の実施形態にかかるロック手段が解除状態であるときの穿刺アダプタおよび超音波プローブの概略構成を示す概略斜視図である。
【図２】この発明の実施形態にかかる穿刺アダプタが超音波プローブに取り付けられている状態を示す概略斜視図である。
【図３】（Ａ）はこの発明の実施形態にかかる穿刺アダプタにおいて、ロック状態のときのロック手段の概略構成を示す概略斜視図である。（Ｂ）はこの発明の実施形態にかかる穿刺アダプタにおいて、解除状態かつ保持機構が非保持状態のときのロック手段の概略構成を示す概略斜視図である。（Ｃ）はこの発明の実施形態にかかる穿刺アダプタにおいて、解除状態かつ保持機構が保持状態のときの概略構成を示す概略斜視図である。
【図４】この発明の実施形態にかかる穿刺アダプタにおける穿刺針保持部の保持状態を概念的に示す概略図である。
【図５】この発明の実施形態にかかる穿刺アダプタにおける穿刺針保持部のリリース状態を概念的に示す概略図である。
【図６】（Ａ）はこの発明の実施形態において、ロック手段がロック状態のときの穿刺アダプタの概略構成を示す概略側面図である。（Ｂ）はこの発明の実施形態にかかる穿刺アダプタにおいて、ロック状態のロック手段をシャフト上方から見たときの概略構成を示す概略斜視図である。（Ｃ）は図６（Ｂ）に示す穿刺アダプタの概略Ａ−Ａ断面図である。
【図７】（Ａ）はこの発明の実施形態にかかる穿刺アダプタにおいて、ロック手段のシャフトが引き抜かれた状態の概略構成を示す概略側面図である。（Ｂ）はこの発明の実施形態にかかる穿刺アダプタにおいて、ロック手段のシャフトが引き抜かれた状態のときにおけるシャフトを上方から見たときの概略構成を示す概略斜視図である。（Ｃ）は図７（Ｂ）に示す穿刺アダプタの概略Ａ−Ａ断面図である。
【図８】（Ａ）は図７（Ａ）の状態から、ロック手段のシャフトが回転された状態における穿刺アダプタの概略構成を示す概略側面図である。（Ｂ）は図７（Ｂ）の状態から、ロック手段のシャフトが回転された状態におけるシャフトを上方から見たときの概略構成を示す概略斜視図である。（Ｃ）は図８（Ｂ）に示す穿刺アダプタの概略Ａ−Ａ断面図である。
【図９】（Ａ）はこの発明の実施形態にかかる穿刺アダプタにおいて、ロック手段が解除状態かつ保持機構が保持状態のときの概略構成を示す概略側面図である。（Ｂ）はこの発明の実施形態にかかる穿刺アダプタにおいて、ロック手段が解除状態かつ保持機構が保持状態のときのシャフトを上方から見たときの概略構成を示す概略斜視図である。（Ｃ）は図９（Ｂ）に示す穿刺アダプタの概略Ａ−Ａ断面図である。
【図１０】この発明の実施形態にかかる切替レバーが術者に操作され、穿刺針保持部がリリース状態のときの穿刺アダプタの概略構成を示す概略斜視図である。
【図１１】この発明の実施形態における穿刺アダプタのロック手段の変形例を概念的に示す概略図である。
【図１２】この発明の実施形態における穿刺アダプタのロック手段の変形例を概念的に示す概略図である。
【図１３】穿刺術に用いられる超音波診断装置、超音波プローブ本体および従来の穿刺アダプタを示す図面である。
【図１４】超音波プローブに用いられる従来の穿刺アダプタの概略斜視図である。
【図１５】超音波プローブに用いられる従来の穿刺アダプタの概略上面図である。
【発明を実施するための形態】
【００１８】
この発明の実施形態にかかる穿刺アダプタ１０の構成について、図１〜１０を参照して説明する。まず図１および図２を参照して、穿刺アダプタ１０が取り付けられる超音波プローブ２０および、超音波プローブ２０と超音波診断装置との関係の概略について説明する。図１（Ａ）は、この発明の実施形態にかかるロック手段７０がロック状態であるときの穿刺アダプタ１０および超音波プローブ２０の概略構成を示す概略斜視図であり、図１（Ｂ）は、この発明の実施形態にかかる穿刺アダプタ１０において、解除状態のときのロック手段７０および超音波プローブ２０の概略構成を示す概略斜視図である。図２は、この発明の実施形態にかかる穿刺アダプタ１０が超音波プローブ２０に取り付けられている状態を示す概略斜視図である。
【００１９】
この実施形態にかかる穿刺アダプタ１０は、図１および図２に示すように超音波プローブ２０に取り付けられて使用されるものであり、超音波プローブ２０は、ケーブル（不図示）を介して超音波診断装置（不図示）に接続されている。なお、図１、図２および図１０に示される超音波プローブ２０としては、円弧状に超音波ビームをスキャンするコンベックス型のものが示されているが、これに限らずリニアスキャン型あるいはセクタスキャン型などどのような型のものであってもよい。
【００２０】
超音波プローブ２０は、基部２１（図１（Ａ）の右上方）および当該基部２１の一端側から膨張するように幅が広く形成された先端部２２を有している。この先端部２２の内部には超音波トランスデューサおよび先端側に音響レンズが設けられている（共に不図示）。超音波プローブ２０、先端部２２における音響レンズ側の放射面２３を被検体の体表面に当接させて用いられる。すなわち、超音波プローブ２０は、超音波診断装置からケーブルを介して電気信号を受け、超音波パルスに変換して被検体に送波する。また超音波プローブ２０は、被検体の体内組織からの反射波を受けてそれを電気信号に変換し、超音波診断装置が信号処理等を行うことにより被検体の体内組織を表す画像データ（例えば断層像）を生成する。
【００２１】
（穿刺アダプタの構成）
次に、図１および図２を参照して、穿刺アダプタ１０の全体構成の概略について説明するとともに、図１〜図５を参照して固定バンド３０、穿刺針保持部４０、切替機構５０および保持間隔調整機構６０について説明する。図３は（Ａ）は、この発明の実施形態にかかる穿刺アダプタ１０において、ロック状態のときのロック手段７０の概略構成を示す概略斜視図である。図３（Ｂ）は、この発明の実施形態にかかる穿刺アダプタ１０において、解除状態かつ保持機構が非保持状態のときのロック手段７０の概略構成を示す概略斜視図である。図３（Ｃ）は、この発明の実施形態にかかる穿刺アダプタ１０において、解除状態かつ保持機構が保持状態のときの概略構成を示す概略斜視図である。図４は、この発明の実施形態にかかる穿刺アダプタ１０における穿刺針保持部４０の保持状態を概念的に示す概略図である。図５は、この発明の実施形態にかかる穿刺アダプタ１０における穿刺針保持部４０のリリース状態を概念的に示す概略図である。
【００２２】
図１および図２に示すように、穿刺アダプタ１０は、超音波プローブ２０に穿刺アダプタ１０を固定するための固定バンド３０と、穿刺針Ｎを案内しつつ保持するための穿刺針保持部４０と、穿刺針の保持状態を切り替えるとともに穿刺針保持部４０を固定する切替機構５０（切替レバー５３を含む）と、穿刺針保持部４０の穿刺針保持間隔を調整する保持間隔調整機構６０と、切替機構５０の動作を抑止するロック手段７０とを有して構成されている。
【００２３】
〈固定バンド〉
図１ないし図３に示すように固定バンド３０は、穿刺アダプタ１０を超音波プローブ２０に固定するために、超音波プローブ２０の基部２１を拘束する等の方法によりに固定される。すなわち図１および図２に示すように、この固定バンド３０は、コ字状に形成されており、超音波プローブ２０の側面に当接する略平板状の第１固定部３１ａと、当該第１固定部３１ａと対向して配置され、超音波プローブ２０の反対側の側面に当接する略平板状の第２固定部３１ｂと、第１固定部３１ａおよび第２固定部３１ｂとを連結する連接部３２と、第１固定部３１ａおよび第２固定部３１ｂの間隔を調整する固定ネジ３１ｃを有している。この固定ネジ３１ｃを調整することにより、第１固定部３１ａおよび第２固定部３１ｂの間隔が調整され、超音波プローブ２０を挟み、締め付けて穿刺アダプタ１０全体が超音波プローブ２０に固定される。
【００２４】
穿刺針Ｎの保持状態の安定性を確保するため、固定バンド３０により穿刺アダプタ１０は確実に固定される。また、穿刺アダプタ１０は使用後に感染等を防止するため減菌しなければならないので、固定バンド３０から超音波プローブ２０の基部２１を解放することにより取り外しも可能となっている。
【００２５】
また、固定バンド３０の固定される位置は図示されている位置に限定されるものではないが、当該固定位置が超音波プローブ２０の放射面２３から離れるにしたがって穿刺針Ｎから被検体の体表面までの距離が離れ、必要な穿刺針Ｎの長さが長くなってしまうとともに穿刺針Ｎの安定性を欠くおそれがある。したがって、固定バンド３０は被検体の体表面から離れすぎないように先端部２２近傍の位置で固定される。
【００２６】
なお、本実施形態にかかる固定バンド３０は、本発明にかかる「装着手段」の一例に該当する。また、本実施形態にかかる固定バンド３０は、超音波プローブ２０を挟持するものであるが、本発明にかかる穿刺アダプタの装着手段はこれに限られず、例えば帯状の固定バンドを用い、超音波プローブ２０の基部２１に巻き渡すように固定される構成であってもよい。
【００２７】
〈穿刺針保持部〉
穿刺針保持部４０は、被検体に刺入される穿刺針Ｎを保持するとともに刺入方向を案内するものである。図１および図２に示すように、穿刺針保持部４０は、固定保持板４１ａおよび可動保持板４１ｂを有している。固定保持板４１ａは、後述する切替機構５０の固定接続アーム５４に接続された保持板固定部４２に固定されている。この固定接続アーム５４は、固定バンド３０に固定されているので、保持板固定部４２に固定された固定保持板４１ａも、常にその位置が固定されている。これに対し、可動保持板４１ｂは、保持間隔調整機構６０を介して切替機構５０における可動部に接続された保持板固定部４３に固定されている。後述するように切替機構５０の可動部は回動するので、保持板固定部４３に固定された可動保持板４１ｂも、固定保持板４１ａに対し、近接する方向、離隔する方向（図４、図５におけるＸ方向）に移動される。
【００２８】
図１に示すように可動保持板４１ｂが固定保持板４１ａに近接されると、保持板同士の間隔が狭まり、穿刺針Ｎを保持板同士の間に挟んで保持可能となる。ただしここでいう保持とは、穿刺針Ｎを固定するものではなく、被検体に刺入される穿刺針Ｎが刺入方向以外に動かないように、穿刺針Ｎの周囲を取り囲む程度である。したがって、穿刺針Ｎが穿刺針保持部４０によって保持された状態（図４参照）であっても、術者は穿刺針Ｎを刺入方向に移動させることが可能である。
【００２９】
また図１および図２に示すように、固定保持板４１ａおよび可動保持板４１ｂは、共に穿刺針Ｎの刺入方向へ向かって幅が狭くなるような略扇状に形成されている。さらにこれらの保持板は、穿刺アダプタ１０が超音波プローブ２０に対し取り付けられたときに、放射面２３側へ傾斜するように固定される。このように穿刺針保持部４０における穿刺針Ｎの出口部分を、穿刺針Ｎが通過可能な程度の径に狭め、かつ当該出口部分を放射面２３に隣接させることによって、穿刺針Ｎの刺入方向がガイドされる。また、図１および図２に示すように、本実施形態における穿刺針保持部４０は、可動保持板４１ｂに２つのガイド孔が形成されている（「４４」，「７５」）。これによって、２種類の角度で穿刺針Ｎをガイドすることが可能である。なお、このガイド孔は２つ以上形成されていてもよく、また１つであってもよい。また、本実施形態における固定保持板４１ａおよび可動保持板４１ｂは、それぞれ本発明にかかる「第１の保持板」および「第２の保持板」のいずれかの一例に該当する。
【００３０】
〈切替機構〉
切替機構５０は、穿刺針保持部４０による穿刺針Ｎの保持状態およびリリース状態を切り替えるとともに、穿刺針保持部４０と固定バンド３０とを接続し、穿刺針保持部４０を支持するものである。またこの切替機構５０は、固定バンド３０に対して移動しない固定部分と、固定バンド３０に対して移動する可動部分とを有する。
【００３１】
図１、図３〜図５に示すように、切替機構５０は回転軸５１に枢支されており、図４および図５に示すように当該回転軸５１を軸中心として回動可能に構成されている。以下、この切替機構５０において回転軸５１を軸に回動する部分を「可動部」とする。この切替機構５０における可動部には、第１固定部３１ａ側に突出した切替レバー５３が設けられている。本実施形態における切替レバー５３は、図１および図４、図５に示すように切替機構５０の可動部と一連となっている。したがって図４に示す、切替機構５０が固定バンド３０の連接部３２に隣接している状態から、図５に示すように術者が切替レバー５３を押下することにより、切替機構５０が回転軸５１を軸として回転し、当該連接部３２から当該切替機構が離隔する。これと同時に、保持間隔調整機構６０を介して切替機構５０の可動部に接続された可動保持板４１ｂが、固定保持板４１ａに対して離隔する方向へ移動する。
【００３２】
また、切替機構５０は、図２および図３（Ａ）〜（Ｃ）に示すように固定バンド３０の連接部３２に支持された固定接続アーム５４を備えている。この固定接続アーム５４は、当該連接部３２から離隔する方向へ延びており、その先端側において穿刺針保持部４０の保持板固定部４２を支持している。さらに固定接続アーム５４は可動部側にも伸びており、かつ当該可動部側には回転軸５１が通されている。すなわち固定接続アーム５４は回転軸５１を介して切替機構５０の可動部が回転可能なるように支持している。このように切替機構５０は、固定接続アーム５４側が固定、可動部側が可動となるように構成されている。なお、図４および図５においては固定接続アーム５４の図示を省略している。
【００３３】
また回転軸５１には、切替機構５０の可動部を、固定バンド３０の連接部３２に近接させる方向に付勢する軸付勢バネ５１ａが設けられている（図６（Ｃ）、図９（Ｃ）等参照）。したがって、切替レバー５３が押下操作されると、切替機構５０の可動部は、軸付勢バネ５１ａの付勢力に抗して、連接部３２から離隔する方向へ回転する。また、切替レバー５３の押下状態が解除されると、切替機構５０の可動部は、軸付勢バネ５１ａに付勢されて、連接部３２に近接する方向へ戻るように回転する。
【００３４】
また図１および図２に示すように、切替機構５０における可動部側には保持間隔調整機構６０が設けられ、固定接続アーム５４には、切替機構５０のロック手段７０が設けられている。また切替機構５０の可動部には、軸付勢バネ５１ａを保持する保持部が設けられている。この保持部には軸付勢バネ５１ａの端部が保持されている（図６（Ａ）、図７（Ａ）、図８（Ａ）、図９（Ａ）参照）。さらにこの保持部には、ロック手段７０のシャフト７２の先端部７５を収容する先端収容部５５が設けられている。これらの詳細については以下に述べる。
【００３５】
〈保持間隔調整機構〉
保持間隔調整機構６０は、穿刺針保持部４０の固定保持板４１ａおよび可動保持板４１ｂの間隔を調整するものである。
【００３６】
図１（Ａ）、（Ｂ）および図２に示すように、保持間隔調整機構６０は、切替機構５０の可動部側に設けられている。保持間隔調整機構６０は雄ネジが設けられた調整ネジ６１と、当該調整ネジ６１に螺合する雌ネジが設けられたネジ受け６２とを有する。このネジ受け６２には、可動保持板４１ｂの保持板固定部４３が連結されている。調整ネジ６１の把持部（図１の手前側または図２の奥側）が回転され、調整ネジ６１がネジ受け６２に対し進退することにより、切替機構５０における可動部に対しネジ受け６２が移動する。その結果、可動保持板４１ｂを支持する保持板固定部４３の位置が、調整ネジ６１の移動分だけ切替機構５０の可動部に対して移動する。これによって穿刺針保持部４０による穿刺針Ｎの保持間隔が調整され、例えば穿刺術において径の異なる穿刺針Ｎを使用することが可能となる。
【００３７】
〈ロック手段〉
ロック手段７０は、ロック状態において切替機構５０の動作を抑止することにより、穿刺針保持部４０を保持状態のまま固定するものである。ここで、説明の便宜上ロック手段７０による切替機構５０の動作が抑止されている状態を「ロック状態」とし、ロック手段７０による「ロック状態」が解除され、上述した切替機構５０の回転が可能な状態を「解除状態」というものとする。このロック手段７０は、シャフト７２を引き抜いて図３（Ａ）の状態から図３（Ｂ）の状態へ移行すると、ロック状態から解除状態へ移行する。さらにシャフト７２を引き抜いて回転させ、係止ピン７２ｂが半球体７３を越えてから、シャフトを放し、図３（Ｂ）の状態から図３（Ｃ）の状態へ移行すると、係止ピン７２ｂ、端面７１ａおよび半球体７３によって、ロック手段７０解除状態が保持される。以下、ロック手段７０の構成について、図１〜図９を参照して説明する。
【００３８】
図６（Ａ）は、この発明の実施形態において、ロック手段７０がロック状態のときの穿刺アダプタ１０の概略構成を示す概略側面図である。図６（Ｂ）は、この発明の実施形態にかかる穿刺アダプタ１０において、ロック状態のロック手段７０をシャフト７２の上方から見たときの概略構成を示す概略斜視図である。図６（Ｃ）は、図６（Ｂ）に示す穿刺アダプタ１０の概略Ａ−Ａ断面図である。また、図７（Ａ）は、この発明の実施形態にかかる穿刺アダプタ１０において、ロック手段７０のシャフト７２が引き抜かれた状態の概略構成を示す概略側面図である。図７（Ｂ）は、この発明の実施形態にかかる穿刺アダプタ１０において、ロック手段７０のシャフト７２が引き抜かれた状態のときにおけるシャフト７２を上方から見たときの概略構成を示す概略斜視図である。図７（Ｃ）は、図７（Ｂ）に示す穿刺アダプタの概略Ａ−Ａ断面図である。図８（Ａ）は、図７（Ａ）の状態から、ロック手段７０のシャフト７２が回転された状態における穿刺アダプタ１０の概略構成を示す概略側面図である。図８（Ｂ）は、図７（Ｂ）の状態から、ロック手段７０のシャフト７２が回転された状態におけるシャフト７２を上方から見たときの概略構成を示す概略斜視図である。図８（Ｃ）は、図８（Ｂ）に示す穿刺アダプタ１０の概略Ａ−Ａ断面図である。図９（Ａ）は、この発明の実施形態にかかる穿刺アダプタ１０において、ロック手段７０が解除状態かつ保持機構（７１ａ、７２ｂ、７３）が保持状態のときの概略構成を示す概略側面図である。図９（Ｂ）は、この発明の実施形態にかかる穿刺アダプタ１０において、ロック手段７０が解除状態かつ保持機構（７１ａ、７２ｂ、７３）が保持状態のときのシャフト７２を上方から見たときの概略構成を示す概略斜視図である。図９（Ｃ）は、図９（Ｂ）に示す穿刺アダプタ１０の概略Ａ−Ａ断面図である。なお、図６（Ｂ）、図７（Ｂ）、図８（Ｂ）、図９（Ｂ）において、実際はこの角度から穿刺アダプタ１０を見たときには把持部７２ａによって、シャフト７２および半球体７３は見えないが、説明の便宜上、シャフト７２および半球体７３を見えるものとして図示した。
【００３９】
図３（Ａ）〜（Ｃ）に示すように、ロック手段７０は切替機構５０における固定接続アーム５４側に設けられており、かつその先端（被検体側）が切替機構５０の回転軸５１へ向かうように傾斜して設けられている。またロック手段７０は、略柱体のシャフト７２と、略円筒状の形状を有し、かつ内周面の内側において当該シャフト７２の周囲を囲うとともに、当該シャフト７２をガイドしつつ支持する円筒体７１とを有する。
【００４０】
また図３（Ａ）〜（Ｃ）に示すように、略円筒状の円筒体７１は、固定接続アーム５４に対して、被検体方向と略反対方向に突出する。この「被検体方向」とは、穿刺アダプタ１０が超音波プローブに装着され、超音波プローブ２０が使用されているときにおける、被検体の体表面の方向である。また円筒体７１の内側（空洞部分）は、シャフト７２の径よりやや長い短軸（短径）部分と、シャフト７２の径と後述する係止ピン７２ｂの突出する長さとを合わせた長さよりやや長い長軸（長径）部分とによって構成される楕円もしくは方形の形状となる。または直線部分と曲線部分を有する長楕円形状（トラック（track）形状）であってもよい。また円筒体７１は、ロック手段７０の突出方向においてシャフト７２より短く形成される。
【００４１】
このような構成によれば、図１（Ａ）および図１（Ｂ）に示すように、シャフト７２は円筒体７１の内部を通過可能であると共に、円筒体７１にガイドされて往復移動が可能となる。なお、本実施形態にかかる円筒体７１は、本発明にかかる「外囲体」の一例に該当する。
【００４２】
また各図に示されるようにシャフト７２における固定接続アーム５４からの突出方向先端には、当該シャフト７２の引き抜き操作および回転操作をするための把持部７２ａが設けられている。シャフト７２における把持部７２ａと反対側の端部には、切替機構５０の先端収容部５５に収容されることにより、ロック状態を形成する先端部７５が設けられている。また、断面図である図６（Ｃ）、図７（Ｃ）、図８（Ｃ）および図９（Ｃ）に表されるように、円筒体７１の内側とシャフト７２との間には、シャフト付勢バネ７４が設けられている。シャフト付勢バネ７４は、先端部７５を切替機構５０の先端収容部５５の方向へ付勢する。なお、本実施形態におけるシャフト７２は、本発明にかかる「軸部」の一例に該当する。また、本実施形態における先端部７５は、本発明にかかる「一端」の一例に該当する。
【００４３】
図６（Ｃ）に示すようにシャフト７２の先端部７５が、先端収容部５５に収容されているときはロック手段７０がロック状態となり、図４に示すような穿刺針保持部４０の保持状態のまま切替機構５０が固定され、切替レバー５３を押下しても、切替機構５０の可動部が回転されない。
【００４４】
すなわち、上述したように先端収容部５５は、切替機構５０における軸付勢バネ５１ａの保持部に設けられており、先端収容部５５にシャフト７２の先端部７５が収容されると、切替機構５０の可動部を回転させようとしても、軸付勢バネ５１ａの保持部に当該先端部７５が当接して当該保持部を留めるように作用する。結果として軸付勢バネ５１ａの動作が拘束されるので、回転軸５１および切替機構５０の可動部の回転が抑止され、ロック手段７０はロック状態となる。
【００４５】
次に、図６〜図９を参照し、ロック手段７０における保持機構について説明する。この「保持機構」とは、係止ピン７２ｂ、端面７１ａおよび半球体７３を備えて構成され、解除状態を保持する機構を示すものとする。
【００４６】
図３、図６（Ｃ）、図７（Ｃ）、図８（Ｃ）および図９（Ｃ）に示されるように、シャフト７２の軸方向における中央から把持部７２ａ寄りには、ロック手段７０の解除状態を保持する保持機構の一部である略円柱形の係止ピン７２ｂが設けられている。この係止ピン７２ｂは、シャフト７２の軸方向と略直交する方向に突出している。係止ピン７２ｂが突出する長さは、円筒体７１内側の長軸部分における内周面からシャフト７２の外周部分までの距離より短い長さであるとともに、短軸部分における内周面からシャフト７２の外周部分までの距離より長い長さとなる。これは、係止ピン７２ｂによって円筒体７１に対するシャフト７２の往復移動が阻害されないようにするとともに、シャフト７２を回転させることにより、係止ピン７２ｂを円筒体７１の端面７１ａに当接させ、ロック手段７０の解除状態を保持可能とするためである。
【００４７】
また各図に示されるように円筒体７１は突出方向先端側の端面７１ａにおいて、保持機構を形成する部材の一部として半球体７３を備えている。この半球体７３の高さ、すなわち端面７１ａから半球体７３の先端までの長さ（仮にＡ１とする）は、円筒体７１からシャフト７２を最大限引き抜いたときにおける、シャフト７２における係止ピン７２ｂから端面７１ａまでの距離（仮にＡ２とする）より短くなるような長さでなければならない。Ａ１とＡ２が同じ長さ、またはＡ１がＡ２より長くなってしまうと、シャフト７２を引き抜いて回転させても係止ピン７２ｂが半球体７３を越えられず、ロック手段７０の解除状態を保持することができなくなってしまうためである（図３（Ｂ）、図７（Ｂ）および図８（Ｂ）参照）。
【００４８】
本実施形態における穿刺アダプタ１０のロック手段７０においては、図３（Ａ）や、図６に示すようなロック状態から、シャフト７２をシャフト付勢バネ７４の付勢力に抗して引き抜くとロック手段７０が解除状態となる。この解除状態において、半球体７３より係止ピン７２ｂが離れた状態（図７）とした後、図８（Ａ）に示すようにシャフト７２を回転させると、係止ピン７２ｂが半球体７３を越えた状態となる。このとき把持部７２ａを放すと、シャフト付勢バネ７４に付勢されてシャフト７２が先端収容部５５側に移動する（図３（Ｃ）、図９参照）。このとき、係止ピン７２ｂが円筒体７１の短軸部分の周囲、すなわち端面７１ａに当接するとともに半球体７３に当接し、シャフト７２の先端部７５が先端収容部５５に収容される前に、シャフト７２の移動が停止する（図９参照）。このようにしてロック手段７０は、解除状態を保持することが可能となる。
【００４９】
上記説明したように本実施形態における穿刺アダプタ１０は、シャフト７２に設けられた係止ピン７２ｂが半球体７３を乗り越えるようにして、ロック手段７０の解除状態の保持および当該保持の解除をする構成である。また、係止ピン７２ｂが略円柱形となっている。したがって、ロック手段７０の解除状態が保持されるときの係止ピン７２ｂの位置（図９）と、係止ピン７２ｂの位置を戻し保持が解除されるときの係止ピン７２ｂの位置（図７）との中間に（半球体７３の位置）、シャフト７２が留まることを防止することができる。
【００５０】
仮に、係止ピン７２ｂに当接する係止手段が半球体７３でなく、直線部や平面部が存在するような構成であった場合には、当該平面部の位置で係止ピン７２ｂが留まってしまうおそれがある。その場合，不用意にロック手段７０の解除状態が保持され、または保持されなくなる可能性がある。これを避けるために、本実施形態では、係止ピン７２ｂの位置が中間位置にあっても、略円柱形の係止ピン７２ｂの曲面と、半球体７３の曲面とが対向しているので、係止ピン７２ｂが半球体７３上で留まる事態を回避し、ロック手段７０が意図しない状態となることを防止することができる。
【００５１】
したがって、本実施形態にかかる穿刺アダプタ１０のロック手段７０における解除状態の保持機構としては、半球体７３に限らず、例えば円錐状の形状を有するように構成することも可能である。
【００５２】
なお、本実施形態における穿刺アダプタ１０のロック手段７０における保持機構、すなわち係止ピン７２ｂ、端面７１ａおよび半球体７３は、本発明にかかる「解除状態保持機構」の一例に該当する。また、係止ピン７２ｂは、本発明にかかる「第１突部」の一例に該当する。また、端面７１ａは、本発明にかかる「端面」の一例に該当する。また、半球体７３は、本発明にかかる「第２突部」の一例に該当する。
【００５３】
（穿刺アダプタの除去手順）
次に、本実施形態にかかる穿刺アダプタ１０を用いて穿刺術を行うにあたり、穿刺針保持部４０による穿刺針Ｎの保持状態から、穿刺アダプタ１０および超音波プローブ２０を除去しようとするまでの手順を、図６〜図１０を用いて説明する。図１０は、この発明の実施形態にかかる切替レバー５３が術者に操作され、穿刺針保持部４０がリリース状態のときの穿刺アダプタ１０の概略構成を示す概略斜視図である。
【００５４】
（ステップ１）
穿刺針保持部４０による穿刺針Ｎの保持状態かつ、図６（Ａ）に示すロック手段７０のロック状態のときは、図６（Ｃ）に示すように、シャフト７２の先端部７５が先端収容部５５に収容され、切替機構５０の軸付勢バネ５１ａの保持部および当該軸付勢バネ５１ａを固定している。このとき、まずユーザは、超音波プローブ２０を片手で保持し、もう一方の手でロック手段７０のシャフト７２をシャフト付勢バネ７４の付勢力に抗して引き抜くことにより、先端収容部５５から先端部７５を外し、ロック状態から解除状態とする（図７（Ｃ）参照）。
【００５５】
（ステップ２）
図７（Ａ）に示すように、ロック手段７０のシャフト７２を引き抜いただけの状態ではシャフト７２を手から離すと再び付勢力によりロック状態となる。また、シャフト７２を引き抜いた状態でシャフト７２を片手で保持したまま、もう一方の手で切替レバー５３を操作すると、被検体に刺入された穿刺針Ｎを保持するものがなくなり、穿刺針Ｎが意図しない方向に移動してしまうおそれがある。したがって安全に穿刺針保持部４０をリリース状態とするためには、ユーザはシャフト７２を引き抜き、半球体７３より係止ピン７２ｂが離れた状態（図７（Ａ）〜（Ｃ））とした後、図８（Ａ）に示すようにシャフト７２を回転させる。
【００５６】
（ステップ３）
ユーザがシャフト７２を回転させると、図３（Ｂ）および図８（Ａ）に示すように当該シャフト７２の係止ピン７２ｂが円筒体７１の端面７１ａに形成された半球体７３を越えた状態となる。この状態においてユーザが把持部７２ａを放すと、シャフト付勢バネ７４に付勢されてシャフト７２が先端収容部５５側に若干移動する。このとき、係止ピン７２ｂが円筒体７１の短軸部分の周囲、すなわち端面７１ａに当接するとともに半球体７３に当接し、シャフト７２の先端部７５が先端収容部５５に収容される前に、シャフト７２の先端収容部５５側への移動が停止する（図３（Ｃ）、図９参照）。このようにしてロック手段７０は、解除状態を保持することが可能となる。
【００５７】
（ステップ４）
次いでユーザは、ロック手段７０を操作した方の手に、穿刺針Ｎを持ち替えて保持し、かつ図１０に示すように、もう一方の手で、超音波プローブ２０を保持しつつ、その手で切替レバー５３を押下することにより、穿刺針保持部４０をリリース状態とする。
【００５８】
（ステップ５）
穿刺針保持部４０がリリース状態となった後、ユーザは穿刺針Ｎを保持したまま、穿刺アダプタ１０と超音波プローブ２０を除去する。
（作用・効果）
【００５９】
以上説明したように本実施形態にかかる穿刺アダプタ１０においては、ロック手段７０により、穿刺針Ｎの保持状態において切替機構５０における切替レバー５３の操作を抑止するロック状態と解除状態とを、シャフト７２を引き抜くまたは放すといった操作のみで切替えることができ、術者が意図せずにリリース状態となるおそれを回避することができるとともに、穿刺針保持部４０の保持状態の解除が容易である。
【００６０】
さらに本実施形態にかかる穿刺アダプタ１０においては、ロック手段７０の保持機構、すなわち係止ピン７２ｂ、端面７１ａおよび半球体７３により解除状態を保持することができ、かつ当該解除状態を保持する操作は、術者により解除状態のときにシャフト７２を回転させてからシャフト７２を放すといった操作のみで実行することができる。したがって、ロック手段７０のロック状態から穿刺アダプタ１０および超音波プローブ２０の除去までの作業工程において常にプローブおよび穿刺針の双方が保持されている状態とすることができるので、穿刺針Ｎの保持を簡便かつ確実に行うことが可能となる。その結果、効率的な穿刺術を行うことが可能となる。さらに穿刺針Ｎを交換する際にも柔軟かつ迅速に対応することができる。
【００６１】
（変形例）
次に、本実施形態にかかる穿刺アダプタおよび穿刺アダプタが取り付けられた超音波プローブの変形例について、以下に説明する。図１１（Ａ）、（Ｂ）および図１２（Ａ）、（Ｂ）は、この発明の実施形態における穿刺アダプタ１０のロック手段７０の変形例を概念的に示す概略図である。
【００６２】
上記説明した実施形態にかかる穿刺アダプタ１０では、ロック手段７０の解除状態の保持機構が、係止ピン７２ｂ、端面７１ａおよび半球体７３を備えて構成されているが、これに限られず、例えば図１１（Ａ）、（Ｂ）に示すように、係止ピン７２ｂの替わりに、係止ピン７２ｂが設けられている位置に、平板状であってシャフト７２の軸方向と直交する方向に突出する第１フランジ７２ｃと、当該第１フランジ７２ｃと反対方向かつ第１フランジと略平行にシャフト７２から突出する第２フランジ７２ｄを設けてもよい。この場合、円筒体７１の内側は、長軸部分において第１フランジ７２ｃ、第２フランジ７２ｄを通過可能な長さを有し、かつ短軸部分において、第１フランジ７２ｃおよび第２フランジ７２ｄが端面７１ａに当接するような長さに形成される。
【００６３】
また、この変形例においては、図１１（Ｂ）に示すように、端面７１ａにおいて半球体７３の替わりに突出部７６が設けられている。これは、第１フランジ７２ｃ、第２フランジ７２ｄの下面が端面７１ａに当接して、シャフト付勢バネ７４による先端部７５の先端収容部５５側への移動が抑止されている状態において、第１フランジ７２ｃ、第２フランジ７２ｄがいずれの方向にも回転しないようにするものである。これによって、意図せずにシャフト７２が回転してしまい、解除状態の保持が解除され、ロック状態となってしまう事態を防止する。
【００６４】
この変形例においても、図１１（Ｂ）に示すようにシャフト７２を回転させることによって、ロック手段７０の解除状態の保持が可能となる。
【００６５】
また、上記説明した実施形態にかかる穿刺アダプタ１０では、係止ピン７２ｂが常にシャフト７２から突出している構成であるが、これに限らず、例えば図１２（Ｂ）に示すように、シャフト７２に、係止ピン７２ｂを収容する収容孔を設け、かつ係止ピン７２ｂをシャフト７２の軸方向と直交する方向へ付勢する付勢部材７２ｅを設けることにより、係止ピン７２ｂの位置が円筒体７１の内周面から解放されたときに、係止ピン７２ｂが出没する構成であってもよい。この場合、円筒体７１の内側は長軸部分と短軸部分を有する構成でなくてもよい。
【００６６】
この変形例においては、係止ピン７２ｂの位置が円筒体７１の内周面から解放される位置までシャフト７２を引き抜くと、係止ピン７２ｂが出没してロック手段７０の解除状態を保持することが可能となる。
【符号の説明】
【００６７】
１０    穿刺アダプタ
２０    超音波プローブ
２１    基部
２２    先端部
２３    放射面
３０    固定バンド
３１ａ  第１固定部
３１ｂ  第２固定部
３１ｃ  固定ネジ
３２    連接部
４０    穿刺針保持部
４１ａ  固定保持板
４１ｂ  可動保持板
４２、４３    保持板固定部
５０    切替機構
５１    回転軸
５１ａ  軸付勢バネ
５３    切替レバー
５４    固定接続アーム
５５    先端収容部
６０    保持間隔調整機構
６１    調整ネジ
７０    ロック手段
７１    円筒体
７１ａ  端面
７２    シャフト
７２ａ  把持部
７２ｂ  係止ピン
７２ｃ  第１フランジ
７２ｄ  第２フランジ
７２ｅ  付勢部材
７３    半球体
７４    シャフト付勢バネ
７５    先端部
７６    突出部
【図１】
2010172565.tif 000003
【図２】
2010172565.tif 000004
【図３】
2010172565.tif 000005
【図４】
2010172565.tif 000006
【図５】
2010172565.tif 000007
【図６】
2010172565.tif 000008
【図７】
2010172565.tif 000009
【図８】
2010172565.tif 000010
【図９】
2010172565.tif 000011
【図１０】
2010172565.tif 000012
【図１１】
2010172565.tif 000013
【図１２】
2010172565.tif 000014
【図１３】
2010172565.tif 000015
【図１４】
2010172565.tif 000016
【図１５】
2010172565.tif 000017